(57)【要約】      （修正有）【課題】印刷原稿袋に収納されている印刷原稿等の作業指示提供及び所在管理方法を提供する。【解決手段】印刷会社の担当営業は、ＲＦ−ＩＤタグ用質問応答機能搭載印刷原稿袋にＲＦ−ＩＤタグ付き印刷原稿等及びＲＦ−ＩＤタグ搭載担当営業カードを挿入して管理する。このＲＦ−ＩＤタグ用質問応答機能搭載印刷原稿袋には、携帯端末を接続し、自動認識結果により、サーバーシステムに接続するため、作業者は確実に、作業指示を入手することが可能となるものである。また、印刷会社の各部屋の出入り口にＲＦ−ＩＤタグ質問器を設置することにより、ＲＦ−ＩＤタグ用質問応答機能搭載印刷原稿袋が持参されて通過すれば、自動認識し、自動認識結果がサーバーシステムに送信することにより、所在管理を可能とする。【選択図】図４
2006259941.tif 000002
【特許請求の範囲】
【請求項１】
ＲＦ−ＩＤタグを装着する印刷原稿及びＲＦ−ＩＤタグ搭載担当営業カード等の挿入物と、前記挿入物のＲＦ−ＩＤタグの情報を読み取る手段と、前記読み取り手段によるＲＦ−ＩＤタグ情報の読み取り結果をＲＦ−ＩＤタグ用ゲート装置に読み取らせる手段と、前記挿入物を保管する保管手段と、通信端末に接続する手段とを備えたＲＦ−ＩＤタグ用質問応答機能搭載印刷原稿袋であって、前記通信端末に接続する手段に通信端末を接続すれば、通信端末がネットワークを介してセンターサーバーシステムに接続することを特徴とする印刷原稿管理システム。
【請求項２】
請求項１に記載のＲＦ−ＩＤタグ用質問応答機能搭載印刷原稿袋の基材は、内側には透磁率が高いフェライト材料を含有するフィルムとし、外側には電磁波を遮断する金属材料を蒸着したフィルムによる層構成とすることにより、前記ＲＦ−ＩＤタグを装着する印刷原稿及びＲＦ−ＩＤタグ搭載担当営業カード等の挿入物のＲＦ−ＩＤタグ情報のみがＲＦ−ＩＤタグ用質問応答機能搭載印刷原稿袋の読み取る手段で読み取られることが可能になることを特徴とする印刷原稿管理システム。
【請求項３】
請求項１に記載のＲＦ−ＩＤタグ用質問応答機能搭載印刷原稿袋では挿入物であるＲＦ−ＩＤタグを装着する印刷原稿及びＲＦ−ＩＤタグ搭載担当営業カード等のＲＦ−ＩＤタグの情報を読み取る手段による読み取り結果を、ＲＦ−ＩＤタグ用ゲート装置に読み取らせる手段によりＲＦ−ＩＤタグ利用ゲート装置に前記読み取り結果を読み取らせると、前記ＲＦ−ＩＤタグ利用ゲート装置は前記読み取り結果を有線もしくは無線により接続された制御装置に送信し、前記制御装置は前記読み取り結果を有線もしくは無線により接続された管理装置に送信し、管理装置は前記読み取り結果をネットワークにより接続されたセンターサーバーシステムに送信することで、前記センターサーバーシステムでＲＦ−ＩＤタグを装着する印刷原稿及びＲＦ−ＩＤタグ搭載担当営業カード等の所在管理が可能なことを特徴とする印刷原稿管理システム。
【請求項４】
請求項１に記載のＲＦ−ＩＤタグ用質問応答機能搭載印刷原稿袋では、ＲＦ−ＩＤタグを装着する印刷原稿及びＲＦ−ＩＤタグ搭載担当営業カード等の挿入物のＲＦ−ＩＤタグの情報を読み取る手段による読み取り結果を、前記ＲＦ−ＩＤタグ用質問応答機能搭載印刷原稿袋の通信端末を接続する手段に通信端末を接続し、前記通信端末が前記読み取り結果をセンターサーバーシステムに送信すれば、前記センターサーバーシステムでは送信された前記読み取り結果により予め登録されている当該印刷原稿の印刷等に関する作業指示情報を選択し、前記センターサーバーシステムで選択された前記作業指示情報がネットワークを介して前記通信端末に送信され、前記通信端末に前記作業指示情報が表示されることを特徴とする印刷原稿管理システム。
【発明の詳細な説明】
【技術分野】
【０００１】
本発明は、物流分野等で普及が見込まれているＲＦ−ＩＤ（無線周波数識別：Ｒａｄｉｏ
Ｆｒｅｑｕｅｎｃｙ  Ｉｄｅｎｔｉｆｉｃａｔｉｏｎ）技術を利用したＲＦ−ＩＤタグシステムに関するものである。
特に、本発明は、ＲＦ−ＩＤタグ用質問応答機能搭載印刷原稿袋とＲＦ−ＩＤタグ付き印刷原稿等を用いたネットワーク対応型の印刷原稿管理システムに関するものである。
【背景技術】
【０００２】
ＲＦ−ＩＤタグシステムを利用した収容物を自動認識する発明は、特許文献１で開示している。
特許文献１で開示されている発明は、自動冷蔵システムであって、食品のパッケージ等に付された非接触式ＩＣタグのＩＣメモリに記録された食品の内容物、保存条件に関する情報を非接触ＩＣタグリーダ付き冷蔵庫が読み取ることにより、食品を最適の条件で冷蔵することを特徴するものである。
また、特許文献１では、非接触ＩＣタグのＩＣメモリに記録された食品の内容物、消費期限、賞味期限に関する情報を非接触ＩＣタグリーダ付き冷蔵庫が読み取ることにより、消費期限や賞味期限が間近になった場合に警告を発することを特徴とするものである。
また、特許文献１では、非接触式ＩＣタグ用リーダ付き冷蔵庫は、表示部と食品情報に関するデータベースを有し、利用者に予め記録してある調理方法等の情報を提供することを特徴とするものである。
なお、特許文献１では、家庭等で利用される大型冷凍冷蔵庫を前提としてしており、冷蔵庫それ自体の可搬性は考慮していないものである。
【０００３】
【特許文献１】特開２００１−３１７８６２
【０００４】
しかしながら、印刷会社では、印刷原稿袋等と称し、得意先より受注した印刷物ごとに印刷原稿袋を用意し、得意先より支給された写真原稿や文字原稿等の印刷原稿を、その印刷原稿袋に挿入して管理している。
さらに、印刷原稿が入っている印刷原稿袋に版下作成作業指示書も挿入し、版下作成工程に送り版下作成工程終了後に、以後の製版作成工程を初めとする各印刷工程に各工程の作業指示書とともに順次送られ、各印刷工程での作業が実施されるている。
管理体制が不十分な印刷会社では、印刷原稿が挿入されている印刷原稿袋自体若しくは印刷原稿が、紛失する危険性がある。得意先より支給された印刷原稿を紛失した場合は、印刷会社の信用は失墜することになる。
このため、可搬性のある印刷原稿袋は、特許文献１の非接触ＩＣタグリーダ付き冷蔵庫と同じく印刷原稿袋自体にデータベースを保有する構成にすると、紛失時に得意先の印刷物に関係する情報にも安全性の問題が生じることとなる。
さらに、印刷会社の作業工程も電算化されているが、印刷原稿自体の管理は、前述の如く、印刷原稿袋により管理されている。このため、印刷原稿を管理するデータベースが構築された場合には、印刷会社の従業員の立場では、印刷原稿の自動登録等を望まれる。なぜなら、例えば、週刊誌の印刷原稿は、最低でも数百点になるため、一点一点個別にデータベースに登録することは、バーコードなどを利用しても、印刷会社の従業員の手間は多大となるからである。
また、特許文献１の非接触タグリーダ付き冷蔵庫では調理方法等の情報提供に関しては、予め記録している情報のみを活用して、表示装置に助言情報を表示しているのみである。さらに、特許文献１では、調理方法等の情報の更新は考慮ていないものである。即ち、特許文献１の非接触タグリーダ付き冷蔵庫では、利用者のみが予め記録しているデータベースを活用するものである。
しかしながら、印刷では、一部の原稿が遅れることが良くあるため、印刷原稿を管理するデータベースへの自動更新は必要である。
また、印刷会社の生産管理部門及び各製造部門等の従業員も、印刷原稿を管理するデータベースの利用も必要である。
【発明の開示】
【発明が解決しようとする課題】
【０００５】
このため、可搬性のある印刷原稿袋では、特許文献１の発明のように印刷原稿袋自体にデータベースを持つ構成としたのでは得意先の印刷物に対する情報の安全性が保てないという課題がある。
そこで、本発明は、ＲＦ−ＩＤタグシステム利用し、ＲＦ−ＩＤタグを印刷原稿等に搭載し、印刷原稿の安全性に配慮した可搬性があるＲＦ−ＩＤタグ用質問応答機能搭載印刷原稿袋に挿入すれば、自動認識することが可能になるため、印刷会社の従業員の負担なく、生産管理部門の管理するデータベースに自動登録若しくは自動更新されるものである。
さらに、印刷会社の各部屋の出入り口には、ＲＦ−ＩＤタグ用ゲート装置を設置する。印刷会社の従業員が、ＲＦ−ＩＤタグ搭載印刷原稿等を内蔵するＲＦ−ＩＤタグ質問応答機能搭載印刷原稿袋を持って通過するのみで、ＲＦ−ＩＤタグ用ゲート装置により自動認識されるために印刷会社内での印刷原稿の所在が明確となり、印刷原稿の紛失を防止するものである。
また、印刷会社の各印刷工程等の従業員が、作業指示等を求める場合には、いつでも提供可能なことを特徴とする印刷原稿管理システムの提供を目的とする。
【課題を解決するための手段】
【０００６】
本発明の印刷原稿管理システムは、以下の態様により上記課題を解決するものである。
本発明の第１の態様は、ＲＦ−ＩＤタグを装着する印刷原稿（２）及びＲＦ−ＩＤタグ搭載担当営業カード（５）等の挿入物と、前記挿入物のＲＦ−ＩＤタグ（１）の情報を読み取る手段（９）と、前記読み取り手段（９）によるＲＦ−ＩＤタグ情報の読み取り結果をＲＦ−ＩＤタグ用ゲート装置（３）に読み取らせる手段と、前記挿入物を保管する保管手段と、通信端末に接続する手段（１５）とを備えたＲＦ−ＩＤタグ用質問応答機能搭載印刷原稿袋（８）であって、前記通信端末に接続する手段（１８）に通信端末（１７）を接続すれば、通信端末（１７）がネットワーク（２０）を介してセンターサーバーシステム（２１）に接続することを特徴とする印刷原稿管理システムである。
【０００７】
本発明の第２の態様は、第１の態様に記載のＲＦ−ＩＤタグ用質問応答機能搭載印刷原稿袋（８）の基材は、内側には透磁率が高いフェライト材料を含有するフィルム（１９）とし、外側には電磁波を遮断する金属材料を蒸着したフィルム（１９ｂ）による層構成とすることにより、前記ＲＦ−ＩＤタグを装着する印刷原稿（２）及びＲＦ−ＩＤタグ搭載担当営業カード（５）等の挿入物のＲＦ−ＩＤタグ（１）の情報のみがＲＦ−ＩＤタグ用質問応答機能搭載印刷原稿袋（８）の読み取る手段（９）で読み取られることが可能になることを特徴とする印刷原稿管理システムである。
【０００８】
本発明の第３の態様は、第１の態様に記載のＲＦ−ＩＤタグ用質問応答機能搭載印刷原稿袋（８）では挿入物であるＲＦ−ＩＤタグを装着する印刷原稿（２）及びＲＦ−ＩＤタグ搭載担当営業カード（５）等のＲＦ−ＩＤタグ（１）の情報を読み取る手段（９）による読み取り結果を、ＲＦ−ＩＤタグ用ゲート装置（３）に読み取らせる手段によりＲＦ−ＩＤタグ利用ゲート装置（３）に前記読み取り結果を読み取らせると、前記ＲＦ−ＩＤタグ利用ゲート装置（３）は前記読み取り結果を有線もしくは無線により接続された制御装置（３ｂ）に送信し、前記制御装置（３ｂ）は前記読み取り結果を有線もしくは無線により接続された管理装置（３ｃ）に送信し、管理装置（３ｃ）は前記読み取り結果をネットワーク（２０）により接続されたセンターサーバーシステム（２１）に送信することで、前記センターサーバーシステム（２１）でＲＦ−ＩＤタグを装着する印刷原稿（２）及びＲＦ−ＩＤタグ搭載担当営業カード（５）等の所在管理が可能なことを特徴とする印刷原稿管理システムである。
【０００９】
本発明の第４の態様は、第１の態様に記載のＲＦ−ＩＤタグ用質問応答機能搭載印刷原稿袋（８）では、ＲＦ−ＩＤタグを装着する印刷原稿（２）及びＲＦ−ＩＤタグ搭載担当営業カード（５）等の挿入物のＲＦ−ＩＤタグ（１）の情報を読み取る手段（９）による読み取り結果を、前記ＲＦ−ＩＤタグ用質問応答機能搭載印刷原稿袋（８）の通信端末を接続する手段（１５）に通信端末（１７）を接続し、前記通信端末（１７）が前記読み取り結果をセンターサーバーシステム（２１）に送信すれば、前記センターサーバーシステム（２１）では送信された前記読み取り結果により予め登録されている当該印刷原稿の印刷等に関する作業指示情報（２４）を選択し、前記センターサーバーシステム（２１）で選択された前記作業指示情報がネットワーク（２１）を介して前記通信端末（１７）に送信され、前記通信端末（１７）に前記作業指示情報が表示されることを特徴とする印刷原稿管理システムである。
【発明の効果】
【００１０】
本発明の印刷原稿管理システムでは、印刷会社での現状の印刷原稿袋による原稿管理方法を踏襲したＲＦ−ＩＤタグ利用自動認識システムであるため、印刷会社の従業員の負担が少なく、コンピュータシステムに不慣れな印刷会社の作業者等の方でもすぐに利用できる。
また、得意先よりの印刷原稿の遅れが、頻発し、データベースによる管理が困難と言われている印刷原稿の管理が、容易である。
また、本発明の印刷原稿管理システムでは、可搬性のあるＲＦ−ＩＤタグ用質問応答機能搭載印刷原稿袋を利用しているのにも係わらず、印刷原稿袋自体と挿入されている印刷原稿の印刷会社内の所在が明確にななり、印刷原稿等の紛失を防止するものである。
さらに、生産管理部門の管理するサーバーシステムに得意先の印刷原稿情報が格納されているために印刷原稿に関する情報の安全性も確保されている。
また、本発明の印刷原稿管理システムでは、生産管理部門の管理するサーバーシステムより、当該印刷物の作業指示等の入手は、いつでも可能である。
【発明を実施するための最良の形態】
【００１１】
以下、本発明の印刷原稿管理システムについて、図面を参照して説明する。図１はＲＦ−ＩＤタグを印刷原稿に装着した外観図、図２はＲＦ−ＩＤタグ用ゲート装置の構成図、図３はＲＦ−ＩＤタグ搭載担当営業カードの外観図、図４はＲＦ−ＩＤタグ用質問応答機能搭載印刷原稿袋の構成図、図５は印刷原稿管理システムの全体を説明する構成図である。
なお、ＲＦ−ＩＤタグ１とは、ＲＦ−ＩＤタグシステムの応答器であり、ＩＳＯ／ＩＥＣ１５６９３等にて規格化されているものを採用する。以下に、ＲＦ−ＩＤタグ１の構成について概説する。
ＲＦ−ＩＤタグ１は、アンテナパターン（図示せず。）とＲＦ−ＩＤタグ用チップ（図示せず。）とからなるものである。アンテナパターンとＲＦ−ＩＤタグ用ＩＣチップの接続部は、ポリエステルフィルム上にシルク印刷にて導電性インキを印刷後に乾燥させて形成する。この状態が、アンテナシートと称されている。
このアンテナシートのＲＦ−ＩＤタグ用ＩＣチップの接続部には、メモリ素子として電気的に書き換え可能なＥＥＰＲＯＭを搭載したＲＦ−ＩＤタグ用ＩＣチップを実装する。具体的には、ＲＦ−ＩＤタグ用ＩＣチップの接続パットにハンダバンプを形成し、回路面を下にして、ＡＣＦによるフィリップチップ実装法によりアンテナシートのＲＦ−ＩＤタグ用ＩＣチップの接続部に実装する。アンテナシートにＲＦ−ＩＤチップを実装したものが、インレイ４等と称されている。このインレイ４の両側をポリエステルフィルム等で被覆したものが、ＲＦ−ＩＤタグ１である。
【００１２】
図２の印刷会社の各部屋等に設置されるＲＦ−ＩＤタグ用ゲート装置３とは、例えば、出入り口の前側の左右に設置される１組の対向するＲＦ−ＩＤタグ質問器３ａである。
さらに、ＲＦ−ＩＤタグ用ゲート装置３は、複数組のＲＦ−ＩＤタグ用ゲート装置３ａが接続可能な制御装置３ｂに接続し、この制御装置３ｂは、複数の制御装置３ｂが接続可能な管理装置３ｃに接続し、管理装置３ｃは、イントラネット２０ａを介して、生産管理部門のサーバーシステム２１に接続している。
【００１３】
図３のＲＦ−ＩＤタグ搭載担当営業カード５とは、インレイ４をカード基材に実装したプラスチックカードの一例である。具体的には、インレイ４の両側に接着シートと乳白ＰＥＴ−Ｇフィルム等の順に積層し、平プレスにて加熱加圧することで、一体化後にプラスチックカードサイズ（ＩＳＯ／ＩＥＣ  ７８１６  ＩＤ−１型）に仕上げ抜きしたＩＤカードである。
なお、ＲＦ−ＩＤタグ搭載担当営業カード５の表面の片側には、担当営業の氏名等を記入するサインパネル６を形成する。さらに、例えば、ＲＦ−ＩＤタグ搭載担当営業カード５の初期発行時には、シリアル番号などをメモリー素子に記録し、このシリアル番号をＲＦ−ＩＤタグ搭載担当営業カード５の表面に目視可能な刻印番号７として刻印する。
これは、後述するエンボッサー等の特別なＩＤカード発行機器を必要とせずに生産管理部門でのＲＦ−ＩＤタグ搭載担当営業カード５の即時発行を可能とするものである。
【００１４】
図４には、ＲＦ−ＩＤタグ用質問応答機能搭載印刷原稿袋８の構成を示す。印刷原稿袋内に挿入されたＲＦ−ＩＤタグ付き印刷原稿２を自動認識するためには、ＲＦ−ＩＤタグ用質問器として機能するものである。
さらに、印刷会社内の各部屋の出入り口に設置されたＲＦ−ＩＤタグ用ゲート装置３に認識されるためには、ＲＦ−ＩＤタグ用応答器として機能するものである。
まず、ＲＦ−ＩＤタグ用質問応答機能搭載印刷原稿袋８の機器構成としては、ＲＦ−ＩＤタグ用アンテナ１０とＲＦ−ＩＤタグ用アンテナ通信制御回路部１１及び電源回路部１２及び外部接続回路部１３等の回路部９ａを有し、電源回路部１２には着脱可能な充電地１４が接続され、外部接続回路１３には外部接続コネクター１５が接続されるものである。さらに、この外部接続コネクター１５は、両端に接続コネクターを有する接続ケーブル１６を接続し、通信端末１７の接続端子部１８と接続するためのものである。
また、ＲＦ−ＩＤタグ用質問器の機能としてのＲＦ−ＩＤタグ用アンテナ１０の通信範囲は、ＲＦ−ＩＤタグ用質問応答機能搭載印刷原稿袋８に収容されているすべてのＲＦ−ＩＤタグ付き印刷原稿２及びＲＦ−ＩＤタグ搭載担当営業カード５のみを自動認識しなければならないため、ＲＦ−ＩＤタグ用質問応答機能搭載印刷原稿袋８内側全体のみに及ぶようにしなければならない。
具体的には、ＩＳＯ／ＩＥＣ１５６９３等のＲＦ−ＩＤタグシステムではデータ交信等が電磁誘導方式を採用しているため、透磁率の高いフェライト材料内は電磁波が通過するが、アルミ等の金属材料では電磁波を遮断する。
本発明は、この作用を利用するために、ＲＦ−ＩＤタグ用質問応答機能搭載印刷原稿袋８の基材の内側にはフェライト材料等１９を練り込んだフィルムを貼付り￥し、外側にはアルミ材料蒸着フィルム等１９ｂを貼付したものである。
さらに、ＲＦ−ＩＤタグ用質問応答機能搭載印刷原稿袋８にはＲＦ−ＩＤタグ搭載担当営業カード５及び多数のＲＦ−ＩＤタグ付き印刷原稿２が収容される。自動認識時には、ＲＦ−ＩＤタグ搭載担当営業カード５及び多数のＲＦ−ＩＤタグ付き印刷原稿２から一斉に応答されるので、応答データのコリジョン（衝突）が生じる。このため、すべてのＲＦ−ＩＤタグ１のメモリ素子に異なる識別ＩＤを事前に記録しておき、この識別ＩＤ別にＲＦ−ＩＤタグ用質問器９が順次交信することで、すべての自動認識を可能とするものである。
ＲＦ−ＩＤタグ用応答器の機能としてのＲＦ−ＩＤタグ用アンテナ１０は、ＲＦ−ＩＤタグ搭載担当営業カード５及び多数のＲＦ−ＩＤタグ付き印刷原稿２の自動認識結果をＲＦ−ＩＤタグ用ゲート装置３に送信するものである。
【００１５】
図５に本発明の全体システム構成を示す。通信端末１７とは、ＲＦ−ＩＤタグ用質問応答機能搭載印刷原稿袋８の外部接続コネクター１５と両端に接続コネクターを有する接続ケーブル１６を介して接続するための外部接続コネクター１８を有し、液晶画面等の表示装置とタッチパネル等の入力装置と無線にてネットワーク２０に接続するための無線通信機能を備えた機器である。具体的には、ＰＤＡ（Ｐｅｒｓｏｎａｌ  Ｄｉｇｉｔａｌ  Ａｓｓｉｓｔａｎｃｅ）等である。
【００１６】
生産管理部門が管理するサーバーシステム２１とは、ネットワーク２０を介して、通信端末１７には無線にて、生産管理部門システム２２には有線若しくは無線にて接続されるサーバーシステムである。
このサーバーシステム２１上では、ＲＦ−ＩＤタグ搭載印刷原稿の印刷原稿履歴データ部２３と各工程の作業者等に適切な作業指示等の情報を提供するする作業指示データ部２４と担当営業の氏名等を収容する担当営業データ部２５が形成されている。
【００１７】
生産管理部門システム２２とは、ＲＦ−ＩＤタグ用質問器９を接続するための外部接続装置インターフェース、液晶表示等の表示装置、キーボート等の入力装置、生産管理部門が運営するサーバーシステム２１にネットワーク２０を介して有線若しくは無線にて接続するための通信制御機能等を備える機器である。具体的には、パーソナルコンピュータシステムである。
【００１８】
本発明の印刷原稿管理システムの利用方法について、以下に説明する。
＜担当営業登録＞
１．生産管理部門担当者は、得意先より印刷物を受注し、かつ、作業指示書を作成する担    当営業に、ＲＦ−ＩＤタグ用質問応答機能搭載印刷原稿袋８を支給する。
２．生産管理部門担当者は、ＲＦ−ＩＤタグ用質問応答機能搭載印刷原稿袋８を支給した    担当営業に担当営業登録用紙を支給し、担当営業氏名等の必要事項の記入を依頼する    。
３．生産管理部門担当者は、担当営業より、必要事項が記入済みの担当営業登録用紙を回    収する。
４．生産管理部門担当者は、生産管理部門システム２２を操作し、担当営業登録モードに    設定し、ネットワーク２０を介して、生産管理部門が運営しているサーバーシステム    ２１にアクセスする。生産管理部門担当者は、生産管理部門システム２２より、担当    営業登録用紙の記載事項を入力し、生産管理部門が運営しているサーバーシステム２    １上の担当営業データ部２５に担当営業データとして登録する。
５．生産管理部門システム２２は、ネットワーク２０を介して、生産管理部門が運営して    いるサーバーシステム２１上の担当営業データ部に登録された担当営業デーダより、    生産管理部門が運営しているサーバーシステム２１上で生成された担当営業ＩＤコー    ド等のＲＦ−ＩＤタグ搭載担当営業カード５のメモリ素子に登録する発行データを入    手する。
６．生産管理部門担当者は、生産管理部門システム２２に接続されたＲＦ−ＩＤタグ用質    問器９にＲＦ−ＩＤタグ搭載担当営業カード５をかかげて、発行データをメモリ素子    に登録する。
７．生産管理部門担当者は、担当営業に発行処理済みＲＦ−ＩＤタグ搭載担当営業カード    ５を手渡すことで、生産管理部門での発行処理が終了する。
８．担当営業は、ＲＦ−ＩＤタグ搭載担当営業カード５を入手後、サインパネル６に筆記    用具を用いて氏名を記入する。
【００１９】
＜印刷原稿、ＲＦ−ＩＤタグ搭載担当営業カード等の登録＞
１．担当営業は、得意先より支給された印刷原稿にＲＦ−ＩＤタグを貼付して、ＲＦ−Ｉ    Ｄタグ付き印刷原稿２とする。さらに、担当営業は、生産管理部門にて、ＲＦ−ＩＤ    タグ付き印刷原稿２及びＲＦ−ＩＤタグ搭載担当営業カード５を生産管理部門担当者    に提出する。なお、ＲＦ−ＩＤタグ付き印刷原稿２のＲＦ−ＩＤタグ１のメモリ素子    には、事前にシリアル番号等のすべて異なる識別コードが記録されている。
２．生産管理部門担当者は、生産管理部門システム２２に接続されたＲＦ−ＩＤタグ用質    問器９に、まず、担当営業のＲＦ−ＩＤタグ搭載担当営業カード５をかかげて担当営    業ＩＤ番号等を認識させた後、ＲＦ−ＩＤタグ付き印刷原稿２をかかげて識別コード    等を認識させた後、ネットワーク２０を介して生産管理部門が運営しているサーバー    システム２１上の印刷原稿履歴データ部２３に当該担当営業の印刷原稿の履歴を自動    記録する。
【００２０】
＜各工程の作業指示＞
１．各工程の作業者は、本願発明を利用して、作業指示の確認が容易である。即ち、ＲＦ    −ＩＤタグ用質問応答機能搭載印刷原稿袋８の接続コネクターにＰＤＡ等の通信端末    １７を接続すれば、無線によりネットワーク２０を介して生産管理部門が管理するサ    ーバーシステム２１に接続し、サーバーシステム２１上の作業指示データ部２４より    、作業指示データが通信端末１７の表示装置に表示される。
２．ＲＦ−ＩＤタグ用質問応答機能搭載印刷原稿袋８が自動認識した結果により、生産管    理部門が管理するサーバーシステム２１に接続するため、各工程の作業者は確実に、    生産部門が管理するサーバーシステム２１の作業指示データ部２４より当該作業指示    を入手することが可能となるため、作業者のヒューマンエラー防止の一助となるもの    である。
【００２１】
＜所在管理＞
１．担当営業は、ＲＦ−ＩＤタグ付き印刷原稿２及びＲＦ−ＩＤタグ搭載担当営業カード    ５を収容しているＲＦ−ＩＤタグ用質問応答機能搭載印刷原稿袋８を持って、各部屋    の出入り口の前側左右に設置される１組の対向するＲＦ−ＩＤタグ質問器３ｂを通過    すれば、ＲＦ−ＩＤタグ用質問応答機能搭載印刷原稿袋８と収容しているＲＦ−ＩＤ    タグ付き印刷原稿２及びＲＦ−ＩＤタグ搭載担当営業カード５が自動認識される。
２．さらに、ＲＦ−ＩＤタグ用ゲート装置３は、複数組のＲＦ−ＩＤタグ用ゲート装置３    ａが接続可能な制御装置３ｂに接続し、この制御装置３ｂは、複数の制御装置３ｂが    接続可能な管理装置３ｃに接続し、この管理装置３ｃは、生産管理部門のサーバーシ    ステム２１に接続しているので、生産管理部門が管理しているサーバーシステム２１    にＲＦ−ＩＤタグ付き印刷原稿２及びＲＦ−ＩＤタグ搭載担当営業カード５を収容し    ているＲＦ−ＩＤタグ用質問応答機能搭載印刷原稿袋８の自動認識結果が送信される    ため、所在管理が可能となる。
３．例えば、ＲＦ−ＩＤタグ付き印刷原稿２を１枚のみ取り出して、この部屋から持ち出    そうとした場合でも、ＲＦ−ＩＤタグ用ゲート装置３がＲＦ−ＩＤタグ付き印刷原稿    ２を認識することで、生産管理部門が管理するサーバーシステム２１では把握が可能    になる。
４．また、例えば、担当営業が、ＲＦ−ＩＤタグ付き印刷原稿２を他のＲＦ−ＩＤタグ用    質問応答機能搭載印刷原稿袋８に混入させてしまい、ＲＦ−ＩＤタグ用質問応答機能    搭載印刷原稿袋８を持ち出した場合には、ＲＦ−ＩＤタグ用ゲート装置３が自動認識    し、自動認識結果は生産管理部門が管理するセンターサーバーシステム２１上にある    ため、センターサーバーシステムに照会すれば、所在が判明することが可能である。    
【００２２】
＜変形実施例＞
上記実施例では、本発明の基本構成での実施形態で説明してきたが、本発明はこれに拘泥されることなく、数々の実施形態が可能であることを付記し、以下にその一例を示す。
ＲＦ−ＩＤタグ搭載印刷原稿２のＲＦ−ＩＤタグ１には、ＲＦ−ＩＤタグ用ＩＣチップ上にコイルを形成したチップオンコイルの形態のＲＦ−ＩＤタグ１でも良い。さらに、ＵＨＦ帯のＲＦ−ＩＤタグ１やＲＦ−ＩＤタグと共振タグとを一体化したものであっても良い。
ＲＦ−ＩＤタグ用質問応答機能搭載印刷原稿袋８と通信端末１７は、両端に接続コネクターを有するケーブル１６で接続して使用することで説明したが、ＲＦ−ＩＤタグ用質問応答機能搭載印刷原稿袋８と通信端末１７の間のデータ伝送は、赤外線方式や電磁誘導方式等の非接触近接通信方式を用いて実施しても良い。
さらに、ＲＦ−ＩＤタグ用質問応答機能搭載印刷原稿袋８は、通信端末１７は分離している状態で説明したが、ＲＦ−ＩＤタグ用質問応答機能搭載印刷原稿袋８と通信端末１７が一体型化されている構成でもあっても良い。
ＲＦ−ＩＤタグ用ゲート装置３は、出入り口の前側の左右に設置される１組の対向するＲＦ−ＩＤタグ質問器３ａを設置することで説明したが、ドアの上下に１組のＲＦ−ＩＤタグ質問器を設置、ドアの片側のみ設置、又は部屋等の天井に１台のみの設置であっても、とにかく、ＲＦ−ＩＤタグ１を自動認識可能な設置方法であれば良い。
【産業上の利用可能性】
【００２３】
本願発明の携帯可能な印刷原稿袋は、収容物である印刷原稿及び担当営業カードのＩＤ情報を自動認識が可能であり、所在管理が可能である。
さらに、各工程の作業者等は、必要に応じて、ネットワークを介して、作業指示を通信端末の表示装置に表示するものである。
本発明は、印刷原稿袋にもとづき説明したが、可搬型の袋状物等に、挿入物又は取り出される物を管理し、かつ、可搬型の袋状物等自体及び挿入物の所在を明確化するものである。さらに、いつでも挿入物に関する情報の入手が可能である。
本願発明と同一構成では、
で活用が可能であるため、広範囲な業種及び家庭利用での可能である。
【図面の簡単な説明】
【００２４】
【図１】ＲＦ−ＩＤタグを印刷原稿に装着した外観図
【図２】ＲＦ−ＩＤタグ用ゲート装置の搭載の構成図
【図３】ＲＦ−ＩＤタグ搭載担当営業カードの外観図
【図４】ＲＦ−ＩＤタグ用質問応答機能搭載印刷原稿袋の構成図
【図５】全体システム構成図
【符号の説明】
【００２５】
１………ＲＦ−ＩＤタグ
２………ＲＦ−ＩＤタグ付き印刷原稿
３………ＲＦ−ＩＤタグ用ゲート装置
３ａ……１組の対向するＲＦ−ＩＤタグ質問器
３ｂ……制御装置
３ｃ……管理装置
３ｄ……制御回路部
４………インレイ
５………ＲＦ−ＩＤタグ搭載担当営業カード
６………サインパネル
７………刻印番号
８………ＲＦ−ＩＤタグ用質問応答機能搭載印刷原稿袋
９………ＲＦ−ＩＤタグ用質問器
９ａ……ＲＦ−ＩＤタグ用質問器の回路部
１０……ＲＦ−ＩＤタグ用アンテナ
１１……ＲＦ−ＩＤタグ用アンテナ通信制御回路部
１２……電源回路部
１３……外部接続回路部
１４……充電地
１５……外部接続コネクター
１６……両端に接続コネクターを有するケーブル
１７……通信端末
１８……接続コネクター
１９……フェライト材料等
１９ｂ…アルミ材料蒸着フィルム等
２０……ネットワーク
２０ａ…イントラネット
２１……生産管理部門が運営するサーバーシステム
２２……生産管理部門システム
２３……印刷原稿履歴データ部
２４……作業指示データ部
２５……担当営業データ部
【図１】
2006259941.tif 000003
【図２】
2006259941.tif 000004
【図３】
2006259941.tif 000005
【図４】
2006259941.tif 000006
【図５】
2006259941.tif 000007